(57)【要約】【課題】両面スキャンを行う場合にユーザーの手間を減らすことができること。【解決手段】スキャナーは、読取面に対向して配置された原稿の面の画像を読み取る画像読取部と、前記画像読取部によって読み取られた前記画像からパンチ穴の画像部分を消去する画像処理部と、前記原稿の一方の面の前記画像から前記パンチ穴の画像部分を消去するために前記画像処理部によって用いられる第１設定内容に基づいて、前記原稿の他方の面の前記画像から前記パンチ穴の画像部分を消去するために前記画像処理部によって用いられる第２設定内容を生成する設定内容生成部と、を備える。【選択図】図１
2020145591.tif 000002
【特許請求の範囲】
【請求項１】
読取面に対向して配置された原稿の面の画像を読み取る画像読取部と、
前記画像読取部によって読み取られた前記画像からパンチ穴の画像部分を消去する画像処理部と、
前記原稿の一方の面の前記画像から前記パンチ穴の画像部分を消去するために前記画像処理部によって用いられる第１設定内容に基づいて、前記原稿の他方の面の前記画像から前記パンチ穴の画像部分を消去するために前記画像処理部によって用いられる第２設定内容を生成する設定内容生成部と、
を備えるスキャナー。
【請求項２】
前記第１設定内容は、前記原稿の綴じ位置と、前記原稿における前記パンチ穴の位置を含む
請求項１に記載のスキャナー。
【請求項３】
前記設定内容生成部によって前記第１設定内容に基づいて前記第２設定内容を生成して前記画像処理部によって前記第２設定内容を用いるモードであることを報知する第１報知部
をさらに備える請求項１または請求項２に記載のスキャナー。
【請求項４】
前記画像読取部によって前記原稿の一方の面の前記画像が読み取られた後に、前記画像読取部によって前記原稿の他方の面の前記画像を読み取るときに載置されるべき前記原稿の配置を報知する第２報知部
をさらに備える請求項１から請求項３のいずれか一項に記載のスキャナー。
【発明の詳細な説明】
【技術分野】
【０００１】
本発明は、スキャナーに関する。
【背景技術】
【０００２】
パンチ穴の空いた原稿をスキャンすると、スキャンの結果にパンチ穴の影が出る問題がある。ユーザーにパンチ穴けし位置を指定させることで、パンチ穴部分のスキャン画像の白埋めをおこないパンチ穴の影のない結果を得る印刷装置が知られている（例えば、特許文献１）。
【先行技術文献】
【特許文献】
【０００３】
【特許文献１】特開２０１７−０５６６０２号公報
【発明の概要】
【発明が解決しようとする課題】
【０００４】
原稿のパンチ穴の表面の位置が指定されれば、原稿綴じ位置、及び原稿のセット方向に応じて、原稿のパンチ穴の裏面の位置は決まる。しかしながら、特許文献１に記載されるような既存技術では、両面スキャンを行う設定においてユーザーは表面及び裏面のそれぞれのパンチ穴の位置を指定する必要があり手間がかかっていた。両面スキャンを行う場合にユーザーの手間を減らすことが求められている。
【課題を解決するための手段】
【０００５】
上記の課題を解決するために一態様は、読取面に対向して配置された原稿の面の画像を読み取る画像読取部と、前記画像読取部によって読み取られた前記画像からパンチ穴の画像部分を消去する画像処理部と、前記原稿の一方の面の前記画像から前記パンチ穴の画像部分を消去するために前記画像処理部によって用いられる第１設定内容に基づいて、前記原稿の他方の面の前記画像から前記パンチ穴の画像部分を消去するために前記画像処理部によって用いられる第２設定内容を生成する設定内容生成部と、を備えるスキャナーである。
【図面の簡単な説明】
【０００６】
【図１】実施形態に係るスキャナーの構成の一例を示す図である。
【図２】実施形態に係るスキャン設定内容の一例を示す図である。
【図３】実施形態に係るスキャン設定内容の一例を示す図である。
【図４】実施形態に係るパンチ穴消し位置の一例を示す図である。
【図５】実施形態に係るパンチ穴消し位置の一例を示す図である。
【図６】実施形態に係るスキャン設定内容毎のパンチ穴消し位置の一例を示す図である。
【図７】実施形態に係る設定画面の一例を示す図である。
【図８】実施形態に係る設定画面の一例を示す図である。
【図９】実施形態に係るスキャン処理の一例を示す図である。
【図１０】実施形態に係るパンチ穴消し位置設定内容の生成処理の一例を示す図である。
【図１１】実施形態に係る裏面載置ガイド画面の一例を示す図である。
【図１２】実施形態に係る裏面載置ガイド画面の一例を示す図である。
【発明を実施するための形態】
【０００７】
（実施形態）
以下、図面を参照しながら実施形態について詳しく説明する。図１は、本実施形態に係るスキャナー１の構成の一例を示す図である。スキャナー１は、原稿２の面の画像をスキャン画像として読み取り、自装置に記憶したり、コンピューターや記憶装置などの外部装置に出力したりする。
なお、スキャナー１は、読み取った原稿２の面の画像を用紙に印刷する印刷機能を備えていてもよい。
【０００８】
スキャナー１は、操作受付部１０と、画像読取部１１と、制御部１２と、記憶部１３と、第１報知部１４と、第２報知部１５とを備える。
操作受付部１０は、一例としてタッチパネルであり、ユーザーからの各種の操作を受け付ける。この操作には、スキャンの開始や中止を制御する操作や、スキャンについての設定を行う操作が含まれる。
【０００９】
画像読取部１１は、読取面１１０に対向して配置された原稿２の面の画像を読み取る。ここで画像読取部１１は、例えば、読取面１１０、入力走査ヘッド、走査機構、及び光源などを含み、制御部１２に制御されて、原稿２の面の画像の濃淡を光学的に読み取る。
【００１０】
制御部１２は、画像処理部１２０と、設定内容生成部１２１とを備える。制御部１２はＣＰＵ（Ｃｅｎｔｒａｌ  Ｐｒｏｃｅｓｓｉｎｇ  Ｕｎｉｔ）により実現され、画像処理部１２０と、設定内容生成部１２１とはそれぞれ、ＣＰＵがＲＯＭ（Ｒｅａｄ  Ｏｎｌｙ  Ｍｅｍｏｒｙ）からプログラムを読み込んで処理を実行することにより実現されるモジュールである。
【００１１】
画像処理部１２０は、画像読取部１１によって読み取られた画像からスキャン画像を形成する。ここで画像処理部１２０は、スキャン画像を形成する過程において各種の画像処理を行う。例えば、画像処理部１２０は、スキャン画像からパンチ穴画像部分を消去する。パンチ穴画像部分は、パンチ穴の画像部分である。
【００１２】
設定内容生成部１２１は、操作受付部１０が受け付けたスキャンについての設定を行う操作に基づいて、スキャン設定内容１３０を生成する。スキャン設定内容１３０は、スキャンについての設定を示す情報であり、原稿２の一方の面のスキャン画像からパンチ穴の画像部分であるパンチ穴画像部分を消去するために画像処理部１２０によって用いられる。スキャン設定内容１３０は、第１設定内容の一例である。
【００１３】
スキャン設定内容１３０は、両面スキャン設定内容１３１と、原稿綴じ位置設定内容１３２と、原稿セット方向設定内容１３３と、パンチ穴消し位置設定内容１３４と、パンチ穴消し量設定内容１３５とを含む。
【００１４】
ここで図２から図４を参照し、スキャン設定内容１３０の詳細について説明する。図２にスキャン設定内容１３０の一部を示し、図３にスキャン設定内容１３０に残りの部分を示す。
図２は、本実施形態に係るスキャン設定内容１３０の一例を示す図である。以下の説明では、一例として、原稿２の一方の面を表面といい、原稿２の他方の面を裏面という。
【００１５】
両面スキャン設定内容１３１は、原稿２の片面のみをスキャンするのか、原稿２の両面をスキャンするのかを、「片面」または「両面」によって示す設定内容である。表面２０Ｆは、原稿２が片面のみに印刷されている原稿である場合の原稿２の表面を示し、裏面２０Ｒはこの原稿２の裏面を示す。表面２１Ｆは、原稿２が両面に印刷されている原稿である場合の原稿２の表面を示し、裏面２１Ｒはこの原稿２の裏面を示す。
【００１６】
原稿綴じ位置設定内容１３２は、両面に印刷されている原稿の綴じ位置を、「左」または「上」によって示す設定内容である。表面２２Ｆは、原稿２が左側で綴じられている原稿である場合の原稿２の表面を示し、裏面２２Ｒはこの原稿２の裏面を示す。綴じ位置２２ｂは、表面２２Ｆにおける綴じ位置である。表面２３Ｆは、原稿２が上側で綴じられている原稿である場合の原稿２の表面を示し、裏面２３Ｒはこの原稿２の裏面を示す。綴じ位置２３ｂは、表面２３Ｆにおける綴じ位置である。
【００１７】
原稿セット方向設定内容１３３は、原稿２が読取面１１０に対向して配置される向きを「上」または「左」によって示す設定内容である。表面配置２４Ｆは、原稿２が上向きに配置される原稿である場合の原稿２の表面が読取面１１０に対向して配置される場合の原稿２の配置を示す。表面配置２４Ｆでは、この原稿２を裏面からみた配置が示されているため、原稿２の表面に印刷された「Ｆ」の文字の鏡像が示されている。
【００１８】
表面配置２５Ｆは、原稿２が左向きに配置される原稿である場合の原稿２の表面が読取面１１０に対向して配置される場合の原稿２の配置を示す。表面配置２５Ｆでは、この原稿２を裏面からみた配置が示されているため、原稿２の表面に印刷された「Ｆ」の文字の鏡像が示されている。
【００１９】
図３は、本実施形態に係るスキャン設定内容１３０の一例を示す図である。
パンチ穴消し位置設定内容１３４は、原稿２の表面のパンチ穴の位置であるパンチ穴位置を、「左」、「右」、「上」、及び「下」によって示す設定内容である。
表面３０Ｆは、原稿２が表面のパンチ穴位置３０ｐが左側である原稿である場合の原稿２の表面を示す。表面３１Ｆは、原稿２が表面のパンチ穴位置３１ｐが右側である原稿である場合の原稿２の表面を示す。表面３２Ｆは、原稿２が表面のパンチ穴位置３２ｐが上側である場合の原稿２の表面を示す。表面３３Ｆは、原稿２が表面のパンチ穴位置３３ｐが下側である場合の原稿２の表面を示す。
【００２０】
パンチ穴消し量設定内容１３５は、スキャン画像においてスキャン画像の端の指定位置からどの位置までを白埋めするかを、当該指定位置からの長さによって示す設定内容である。パンチ穴消し量設定内容１３５は、一例として、０ｍｍから２０ｍｍまでの長さによって設定される。
【００２１】
表面３４Ｆは、原稿２が表面のパンチ穴消し位置が左側である場合の原稿２の表面を示す。パンチ穴位置３４ｐは、表面３４Ｆにおけるパンチ穴の位置である。スキャン画像３４ＦＳは、表面３４Ｆが画像読取部１１によって読み取られ、画像処理部１２０によってパンチ穴画像部分が消去されたスキャン画像である。
【００２２】
裏面３５Ｒは、原稿２が表面のパンチ穴消し位置が左側、つまり裏面のパンチ穴消し位置が右側である場合の原稿２の裏面を示す。パンチ穴位置３５ｐは、裏面３５Ｒにおけるパンチ穴の位置である。スキャン画像３５ＲＳは、裏面３５Ｒが画像読取部１１によって読み取られ、画像処理部１２０によってパンチ穴画像部分が消去されたスキャン画像である。
【００２３】
図１に戻ってスキャナー１の構成の説明を続ける。
設定内容生成部１２１は、スキャン設定内容１３０に基づいて、実行パンチ穴消し位置設定内容１３６を生成する。実行パンチ穴消し位置設定内容１３６は、第２設定内容の一例である。
【００２４】
ここで実行パンチ穴消し位置設定内容１３６は、原稿２の表面のスキャン画像においてパンチ穴消し位置を、「左」、「右」、「上」、及び「下」によって示す設定内容である。
実行パンチ穴消し位置設定内容１３６は、原稿２の面のスキャン画像からパンチ穴画像部分を消去するために画像処理部１２０によって用いられる。
【００２５】
ここで図４及び図５を参照し、パンチ穴消し位置について説明する。図４は、本実施形態に係るパンチ穴消し位置の一例を示す図である。パンチ穴消し位置は、一例として、スキャン画像における矩形の領域を示す。
図４は、原稿２が読取面１１０に対向して配置される向きが「上」である場合のパンチ穴消し位置を示す。以下、パンチ穴消し位置は、読取面１１０を所定の向きからみた場合に「上」、「下」、「左」、及び「右」の各方向に対応する位置として示される。
【００２６】
パンチ穴消し位置４０ｅｒは、「右」である場合のパンチ穴消し位置を示す。パンチ穴消し位置４０ｅｌは、「左」である場合のパンチ穴消し位置を示す。パンチ穴消し位置４０ｅｕは、「上」である場合のパンチ穴消し位置を示す。パンチ穴消し位置４０ｅｄは、「下」である場合のパンチ穴消し位置を示す。
【００２７】
図５は、原稿２が読取面１１０に対向して配置される向きが「左」である場合のパンチ穴消し位置を示す。
パンチ穴消し位置４１ｅｒは、「右」である場合のパンチ穴消し位置を示す。パンチ穴消し位置４１ｅｌは、「左」である場合のパンチ穴消し位置を示す。パンチ穴消し位置４１ｅｕは、「上」である場合のパンチ穴消し位置を示す。パンチ穴消し位置４１ｅｄは、「下」である場合のパンチ穴消し位置を示す。
【００２８】
次に図６を参照し、スキャン設定内容１３０毎のパンチ穴消し位置の具体例について説明する。
図６は、本実施形態に係るスキャン設定内容１３０毎のパンチ穴消し位置の一例を示す図である。原稿５０は、パンチ穴位置５０ｐを表面の左側にもつ。原稿５１は、パンチ穴位置５１ｐを表面の右側にもつ。原稿５２は、パンチ穴位置５２ｐを表面の上側にもつ。原稿５３は、パンチ穴位置５３ｐを表面の下側にもつ。
【００２９】
パンチ穴消し位置５０ｅＦは、原稿セット方向が「上」の場合に、原稿５０の表面がスキャンされる場合のスキャン画像のパンチ穴消し位置である。パンチ穴消し位置５０ｅＦは、「右」を示す。
パンチ穴消し位置５０ｅＲｌは、原稿セット方向が「上」であり、かつ原稿の綴じ位置が「左」である場合に、原稿５０の裏面がスキャンされる場合のスキャン画像のパンチ穴消し位置である。パンチ穴消し位置５０ｅＲｌは、「左」を示す。
パンチ穴消し位置５０ｅＲｕは、原稿セット方向が「上」であり、かつ原稿の綴じ位置が「上」である場合に、原稿５０の裏面がスキャンされる場合のスキャン画像のパンチ穴消し位置である。パンチ穴消し位置５０ｅＲｕは、「右」を示す。
【００３０】
パンチ穴消し位置５１ｅＦは、原稿セット方向が「上」の場合に、原稿５１の表面がスキャンされる場合のスキャン画像のパンチ穴消し位置である。パンチ穴消し位置５１ｅＦは、「左」にある。
パンチ穴消し位置５１ｅＲｌは、原稿セット方向が「上」であり、かつ原稿の綴じ位置が「左」である場合に、原稿５１の裏面がスキャンされる場合のスキャン画像のパンチ穴消し位置である。パンチ穴消し位置５１ｅＲｌは、「右」にある。
パンチ穴消し位置５１ｅＲｕは、原稿セット方向が「上」であり、かつ原稿の綴じ位置が「上」である場合に、原稿５１の裏面がスキャンされる場合のスキャン画像のパンチ穴消し位置である。パンチ穴消し位置５１ｅＲｕは、「左」にある。
【００３１】
パンチ穴消し位置５２ｅＦは、原稿セット方向が「上」の場合に、原稿５２の表面がスキャンされる場合のスキャン画像のパンチ穴消し位置である。パンチ穴消し位置５２ｅＦは、「上」にある。
パンチ穴消し位置５２ｅＲｌは、原稿セット方向が「上」であり、かつ原稿の綴じ位置が「左」である場合に、原稿５２の裏面がスキャンされる場合のスキャン画像のパンチ穴消し位置である。パンチ穴消し位置５２ｅＲｌは、「上」にある。
パンチ穴消し位置５２ｅＲｕは、原稿セット方向が「上」であり、かつ原稿の綴じ位置が「上」である場合に、原稿５２の裏面がスキャンされる場合のスキャン画像のパンチ穴消し位置である。パンチ穴消し位置５２ｅＲｕは、「下」にある。
【００３２】
パンチ穴消し位置５３ｅＦは、原稿セット方向が「上」の場合に、原稿５３の表面がスキャンされる場合のスキャン画像のパンチ穴消し位置である。パンチ穴消し位置５３ｅＦは、「下」にある。
パンチ穴消し位置５３ｅＲｌは、原稿セット方向が「上」であり、かつ原稿の綴じ位置が「左」である場合に、原稿５３の裏面がスキャンされる場合のスキャン画像のパンチ穴消し位置である。パンチ穴消し位置５３ｅＲｌは、「下」にある。
パンチ穴消し位置５３ｅＲｕは、原稿セット方向が「上」であり、かつ原稿の綴じ位置が「上」である場合に、原稿５３の裏面がスキャンされる場合のスキャン画像のパンチ穴消し位置である。パンチ穴消し位置５３ｅＲｕは、「上」にある。
【００３３】
パンチ穴消し位置６０ｅＦは、原稿セット方向が「左」の場合に、原稿５０の表面がスキャンされる場合のスキャン画像のパンチ穴消し位置である。パンチ穴消し位置６０ｅＦは、「上」にある。
パンチ穴消し位置６０ｅＲｌは、原稿セット方向が「左」であり、かつ原稿の綴じ位置が「左」である場合に、原稿５０の裏面がスキャンされる場合のスキャン画像のパンチ穴消し位置である。パンチ穴消し位置６０ｅＲｌは、「下」にある。
パンチ穴消し位置６０ｅＲｕは、原稿セット方向が「左」であり、かつ原稿の綴じ位置が「上」である場合に、原稿５０の裏面がスキャンされる場合のスキャン画像のパンチ穴消し位置である。パンチ穴消し位置６０ｅＲｕは、「上」にある。
【００３４】
パンチ穴消し位置６１ｅＦは、原稿セット方向が「左」の場合に、原稿５０の表面がスキャンされる場合のスキャン画像のパンチ穴消し位置である。パンチ穴消し位置６１ｅＦは、「下」にある。
パンチ穴消し位置６１ｅＲｌは、原稿セット方向が「左」であり、かつ原稿の綴じ位置が「左」である場合に、原稿５０の裏面がスキャンされる場合のスキャン画像のパンチ穴消し位置である。パンチ穴消し位置６１ｅＲｌは、「上」にある。
パンチ穴消し位置６１ｅＲｕは、原稿セット方向が「左」であり、かつ原稿の綴じ位置が「上」である場合に、原稿５０の裏面がスキャンされる場合のスキャン画像のパンチ穴消し位置である。パンチ穴消し位置６１ｅＲｕは、「下」にある。
【００３５】
パンチ穴消し位置６２ｅＦは、原稿セット方向が「左」の場合に、原稿５０の表面がスキャンされる場合のスキャン画像のパンチ穴消し位置である。パンチ穴消し位置６２ｅＦは、「左」にある。
パンチ穴消し位置６２ｅＲｌは、原稿セット方向が「左」であり、かつ原稿の綴じ位置が「左」である場合に、原稿５０の裏面がスキャンされる場合のスキャン画像のパンチ穴消し位置である。パンチ穴消し位置６２ｅＲｌは、「左」にある。
パンチ穴消し位置６２ｅＲｕは、原稿セット方向が「左」であり、かつ原稿の綴じ位置が「上」である場合に、原稿５０の裏面がスキャンされる場合のスキャン画像のパンチ穴消し位置である。パンチ穴消し位置６２ｅＲｕは、「右」にある。
【００３６】
パンチ穴消し位置６３ｅＦは、原稿セット方向が「左」の場合に、原稿５０の表面がスキャンされる場合のスキャン画像のパンチ穴消し位置である。パンチ穴消し位置６３ｅＦは、「右」にある。
パンチ穴消し位置６３ｅＲｌは、原稿セット方向が「左」であり、かつ原稿の綴じ位置が「左」である場合に、原稿５０の裏面がスキャンされる場合のスキャン画像のパンチ穴消し位置である。パンチ穴消し位置６３ｅＲｌは、「右」にある。
パンチ穴消し位置６３ｅＲｕは、原稿セット方向が「左」であり、かつ原稿の綴じ位置が「上」である場合に、原稿５０の裏面がスキャンされる場合のスキャン画像のパンチ穴消し位置である。パンチ穴消し位置６３ｅＲｕは、「左」にある。
【００３７】
図１に戻ってスキャナー１の構成の説明を続ける。
記憶部１３は、スキャン設定内容１３０と、実行パンチ穴消し位置設定内容１３６とを記憶する。記憶部１３は、一例として、ＲＡＭ（Ｒｅａｄ  Ａｎｄ  Ｍｅｍｏｒｙ）である。
【００３８】
第１報知部１４は、両面パンチ穴消しモード報知画面Ｎをタッチパネルである操作受付部１０に表示させて、両面パンチ穴消しモードＭであることを報知する。両面パンチ穴消しモードＭは、設定内容生成部１２１によってスキャン設定内容１３０に基づいて裏面パンチ穴消し位置設定内容１３７を生成して画像処理部１２０によって裏面パンチ穴消し位置設定内容１３７を用いるモードである。
【００３９】
第２報知部１５は、裏面載置ガイド画面をタッチパネルである操作受付部１０に表示させて、画像読取部１１によって原稿２の裏面の画像を読み取るときに載置されるべき原稿２の配置を報知する。裏面載置ガイド画面は、画像読取部１１によって原稿２の裏面の画像を読み取るときに載置されるべき原稿２の配置を示す画面である。
【００４０】
次に図７から図１２を参照し、スキャナー１の処理について説明する。図７は、本実施形態に係る設定画面Ｐ１の一例を示す図である。設定画面Ｐ１は、タッチパネルである操作受付部１０に表示される。
図７は、基本設定タブＴ１が選択された場合の設定画面Ｐ１を示す。両面設定ボタンＢ１は、原稿２の片面のみをスキャンするのか、原稿２の両面をスキャンするのかを選択するためのボタンである。操作受付部１０は、両面設定ボタンＢ１による操作を示す信号を設定内容生成部１２１に供給する。設定内容生成部１２１は、操作受付部１０から供給される信号に基づいて両面スキャン設定内容１３１を生成し、記憶部１３に記憶させる。
【００４１】
図８は、パンチ穴消し設定画面Ｐ２を示す。パンチ穴消し設定画面Ｐ２は、設定画面Ｐ１において応用設定タブＴ２が選択されて表示される画面のうちの１つである。
パンチ穴消し設定ボタンＢ２１は、パンチ穴消しの機能のオンとオフとを切り替えるためのボタンである。消し位置設定ボタンＢ２２は、パンチ穴消し位置を選択するためのボタンである。消し位置設定ボタンＢ２２においてパンチ穴消し位置は、原稿２の表面における「上端」、「下端」、「左端」、及び「右端」のいずれかから選択される。
原稿セット方向設定ボタンＢ２３は、原稿セット方向を選択するためのボタンである。
【００４２】
操作受付部１０は、パンチ穴消し設定ボタンＢ２１、消し位置設定ボタンＢ２２、及び原稿セット方向設定ボタンＢ２３による操作を示す信号を設定内容生成部１２１に供給する。設定内容生成部１２１は、操作受付部１０から供給される信号に基づいて原稿セット方向設定内容１３３、及びパンチ穴消し位置設定内容１３４を生成し、記憶部１３に記憶させる。
【００４３】
パンチ穴消し設定ボタンＢ２１においてパンチ穴消しの機能がオンとなると、第１報知部１４は、両面パンチ穴消しモード報知画面Ｎをタッチパネルである操作受付部１０に表示させて、両面パンチ穴消しモードＭであることを報知する。両面パンチ穴消しモード報知画面Ｎでは、一例として、「裏面の消し位置は自動で設定されます」などのメッセージが表示される。
【００４４】
上述したように、第１報知部１４は、設定内容生成部１２１によってスキャン設定内容１３０に基づいて裏面パンチ穴消し位置設定内容１３７を生成して画像処理部１２０によって裏面パンチ穴消し位置設定内容１３７を用いるモードであることを報知する。
なお、両面パンチ穴消しモード報知画面Ｎを表示させる処理は省略されてもよい。
【００４５】
また、操作受付部１０は、原稿綴じ位置を選択するためのボタンである不図示の原稿綴じ位置設定ボタンによる操作を示す信号を設定内容生成部１２１に供給する。設定内容生成部１２１は、操作受付部１０から供給される信号に基づいて、原稿綴じ位置設定内容１３２を生成し、記憶部１３に記憶させる。
【００４６】
次に図９を参照し、スキャナー１が原稿２の面の画像をスキャン画像として読み取る処理であるスキャン処理について説明する。
図９は、本実施形態に係るスキャン処理の一例を示す図である。図９に示すスキャン処理の開始前に、図７及び図８において説明したように、操作受付部１０はユーザーから操作を受け付け、設定内容生成部１２１はスキャン設定内容１３０を生成して記憶部１３に記憶させる。その後、スキャン処理は、操作受付部１０が読取開始ボタンを押下する操作を受け付けた後に実行される。図９のスキャン処理においては、複数の枚数の原稿２を処理の対象としてよい。
【００４７】
ステップＳ１０：画像読取部１１は、読取面１１０に対向して配置された原稿２の面の画像を読み取る。画像読取部１１は、読み取った画像を示す画像信号を画像処理部１２０に供給する。
【００４８】
ステップＳ２０：画像処理部１２０は、画像形成処理、及びパンチ穴消し処理を実行する。画像処理部１２０は、画像読取部１１から供給される画像を示す画像信号に基づいてスキャン画像を形成する。
ここで画像処理部１２０は、スキャン画像を形成する過程においてスキャン画像からパンチ穴画像部分を消去する。つまり、画像処理部１２０は、画像読取部１１によって読み取られた画像からパンチ穴の画像部分を消去する。
【００４９】
画像処理部１２０は、設定内容生成部１２１が生成する実行パンチ穴消し位置設定内容１３６が示すパンチ穴消し位置に基づいてスキャン画像からパンチ穴画像部分を消去する。画像処理部１２０は、スキャン画像においてパンチ穴消し位置が示す矩形の領域に対して白色の画素によってマスク処理を行うことによって、パンチ穴画像部分を消去する。ここでスキャン画像においてパンチ穴画像部分は、パンチ穴消し位置が示す矩形の領域に含まれる。
【００５０】
ここで画像処理部１２０は、両面印刷である場合に、原稿２の表面だけでなく裏面についてもスキャン画像からパンチ穴画像部分を消去する。つまり、実行パンチ穴消し位置設定内容１３６は、原稿２の他方の面のスキャン画像からパンチ穴画像部分を消去するために画像処理部１２０によって用いられる。
【００５１】
ここで図１０を参照し、設定内容生成部１２１が実行パンチ穴消し位置設定内容１３６を生成する処理について説明する。図１０は、本実施形態に係るパンチ穴消し位置設定内容の生成処理の一例を示す図である。
【００５２】
ステップＳ１１０：設定内容生成部１２１は、両面スキャン設定内容１３１が「片面」を示すか、「両面」を示すかを判定する。ここで設定内容生成部１２１は、記憶部１３から両面スキャン設定内容１３１を読み出し、判定を行う。
設定内容生成部１２１は、両面スキャン設定内容１３１が「片面」を示すと判定する場合、ステップＳ１２０の処理を実行する。一方、設定内容生成部１２１は、両面スキャン設定内容１３１が「両面」を示すと判定する場合、ステップＳ１５０の処理を実行する。
【００５３】
ステップＳ１２０：設定内容生成部１２１は、原稿セット方向設定内容１３３が「上」を示すか、「左」を示すかを判定する。ここで設定内容生成部１２１は、記憶部１３から原稿セット方向設定内容１３３を読み出し、判定を行う。
設定内容生成部１２１は、原稿セット方向設定内容１３３が「上」を示すと判定する場合、ステップＳ１３０の処理を実行する。一方、設定内容生成部１２１は、原稿セット方向設定内容１３３が「左」を示すと判定する場合、ステップＳ１４０の処理を実行する。
【００５４】
ステップＳ１３０：設定内容生成部１２１は、パンチ穴消し位置設定内容１３４が「左」、「右」、「上」、及び「下」のいずれを示すかを判定する。ここで設定内容生成部１２１は、記憶部１３からパンチ穴消し位置設定内容１３４を読み出し、判定を行う。
【００５５】
設定内容生成部１２１は、パンチ穴消し位置設定内容１３４が「左」を示すと判定する場合、「右」を示す実行パンチ穴消し位置設定内容１３６を生成する。
設定内容生成部１２１は、パンチ穴消し位置設定内容１３４が「右」を示すと判定する場合、「左」を示す実行パンチ穴消し位置設定内容１３６を生成する。
設定内容生成部１２１は、パンチ穴消し位置設定内容１３４が「上」を示すと判定する場合、「上」を示す実行パンチ穴消し位置設定内容１３６を生成する。
設定内容生成部１２１は、パンチ穴消し位置設定内容１３４が「下」を示すと判定する場合、「下」を示す実行パンチ穴消し位置設定内容１３６を生成する。
その後、設定内容生成部１２１は、パンチ穴消し位置設定内容の生成処理を終了する。
【００５６】
ステップＳ１４０：設定内容生成部１２１は、パンチ穴消し位置設定内容１３４が「左」、「右」、「上」、及び「下」のいずれを示すかを判定する。ここで設定内容生成部１２１は、記憶部１３からパンチ穴消し位置設定内容１３４を読み出し、判定を行う。
【００５７】
設定内容生成部１２１は、パンチ穴消し位置設定内容１３４が「左」を示すと判定する場合、「上」を示す実行パンチ穴消し位置設定内容１３６を生成する。
設定内容生成部１２１は、パンチ穴消し位置設定内容１３４が「右」を示すと判定する場合、「下」を示す実行パンチ穴消し位置設定内容１３６を生成する。
設定内容生成部１２１は、パンチ穴消し位置設定内容１３４が「上」を示すと判定する場合、「左」を示す実行パンチ穴消し位置設定内容１３６を生成する。
設定内容生成部１２１は、パンチ穴消し位置設定内容１３４が「下」を示すと判定する場合、「右」を示す実行パンチ穴消し位置設定内容１３６を生成する。
その後、設定内容生成部１２１は、パンチ穴消し位置設定内容の生成処理を終了する。
【００５８】
ステップＳ１５０：設定内容生成部１２１は、画像処理部１２０が現在の処理の対象としている画像が、原稿２の裏面が読み取られた画像であるか否かを判定する。ここで設定内容生成部１２１は、一例として、ステップＳ１０の画像の読み取りの処理が実行された回数が制御部１２によって数えられた結果を取得して判定を行う。
【００５９】
設定内容生成部１２１は、画像処理部１２０が現在の処理の対象としている画像が、原稿２の裏面が読み取られた画像であると判定する場合、ステップＳ１６０の処理を実行する。一方、設定内容生成部１２１は、画像処理部１２０が現在の処理の対象としている画像が、原稿２の裏面が読み取られた画像でないと判定する場合、ステップＳ１２０の処理を実行する。
【００６０】
ステップＳ１６０：設定内容生成部１２１は、原稿綴じ位置設定内容１３２が「左」を示すか、「上」を示すかを判定する。ここで設定内容生成部１２１は、記憶部１３から原稿綴じ位置設定内容１３２を読み出し、判定を行う。
設定内容生成部１２１は、原稿綴じ位置設定内容１３２が「左」を示すと判定する場合、ステップＳ１７０の処理を実行する。一方、設定内容生成部１２１は、原稿綴じ位置設定内容１３２が「上」を示すと判定する場合、ステップＳ１９０の処理を実行する。
【００６１】
ステップＳ１７０：設定内容生成部１２１は、パンチ穴消し位置設定内容１３４が「左」、「右」、「上」、及び「下」のいずれを示すかを判定する。ここで設定内容生成部１２１は、記憶部１３からパンチ穴消し位置設定内容１３４を読み出し、判定を行う。
設定内容生成部１２１は、パンチ穴消し位置設定内容１３４が「上」または「下」を示すと判定する場合、ステップＳ１２０の処理を実行する。一方、設定内容生成部１２１は、パンチ穴消し位置設定内容１３４が「左」または「右」を示すと判定する場合、ステップＳ１８０の処理を実行する。
【００６２】
ステップＳ１８０：設定内容生成部１２１は、パンチ穴消し位置を反転させる。ここで設定内容生成部１２１は、記憶部１３に記憶されるパンチ穴消し位置設定内容１３４を更新することによってパンチ穴消し位置を反転させる。
【００６３】
設定内容生成部１２１は、パンチ穴消し位置設定内容１３４が「左」を示す場合、パンチ穴消し位置設定内容１３４を「右」によって更新する。
設定内容生成部１２１は、パンチ穴消し位置設定内容１３４が「右」を示す場合、パンチ穴消し位置設定内容１３４を「左」によって更新する。
設定内容生成部１２１は、パンチ穴消し位置設定内容１３４が「上」を示す場合、パンチ穴消し位置設定内容１３４を「下」によって更新する。
設定内容生成部１２１は、パンチ穴消し位置設定内容１３４が「下」を示す場合、パンチ穴消し位置設定内容１３４を「上」によって更新する。
その後、設定内容生成部１２１は、ステップＳ１２０の処理を実行する。
【００６４】
ステップＳ１９０：設定内容生成部１２１は、パンチ穴消し位置設定内容１３４が「左」、「右」、「上」、及び「下」のいずれを示すかを判定する。ここで設定内容生成部１２１は、記憶部１３からパンチ穴消し位置設定内容１３４を読み出し、判定を行う。
設定内容生成部１２１は、パンチ穴消し位置設定内容１３４が「上」または「下」を示すと判定する場合、ステップＳ１８０の処理を実行する。一方、設定内容生成部１２１は、パンチ穴消し位置設定内容１３４が「左」または「右」を示すと判定する場合、ステップＳ１２０の処理を実行する。
【００６５】
図９に戻ってスキャン処理の説明を続ける。
ステップＳ３０：制御部１２は、全ての原稿２について画像の読み取り及び画像形成処理が完了したか否かを判定する。制御部１２は、複数の枚数の原稿２の全てについて画像の読み取り及び画像形成処理が完了したと判定する場合（ステップＳ３０；ＹＥＳ）、ステップＳ４０の処理を実行する。一方、制御部１２は、複数の枚数の原稿２の全てについて画像の読み取り及び画像形成処理が完了していないと判定する場合（ステップＳ３０；ＮＯ）、ステップＳ５０の処理を実行する。
【００６６】
ステップＳ４０：画像処理部１２０は、出力処理を実行する。画像処理部１２０は、出力処理の一例として、形成したスキャン画像を外部装置に出力する。画像処理部１２０は、出力処理の別の一例として、形成したスキャン画像を記憶部１３に記憶させて、外部装置からの要求を受け付けた場合に、外部装置にスキャン画像を出力してもよい。
その後、スキャナー１はスキャン処理を終了する。
【００６７】
ステップＳ５０：制御部１２は、画像読取部１１が次に読み取る原稿２の面が裏面か否かを判定する。制御部１２は、一例として、ステップＳ１０の画像の読み取りの処理が実行された回数を数えることによって判定を行う。制御部１２は、ステップＳ１０の画像の読み取りの処理が実行された回数が奇数である場合、画像読取部１１が次に読み取る原稿２の面が裏面であると判定する。
【００６８】
制御部１２は、画像読取部１１が次に読み取る原稿２の面が裏面であると判定する場合（ステップＳ５０；ＹＥＳ）、ステップＳ６０の処理を実行する。一方、制御部１２は、画像読取部１１が次に読み取る原稿２の面が裏面でないと判定する場合（ステップＳ５０；ＮＯ）、ステップＳ７０の処理を実行する。
【００６９】
ステップＳ６０：第２報知部１５は、画像読取部１１によって原稿２の裏面の画像を読み取るときに載置されるべき原稿２の配置を報知する。ここで第２報知部１５は、載置ガイド画像をタッチパネルである操作受付部１０に表示させて原稿２の配置を報知する。
【００７０】
ここで図１１及び図１２を参照し、載置ガイド画像について説明する。図１１は、本実施形態に係る裏面載置ガイド画面の一例を示す図である。
図１１は、原稿セット方向が「左」、パンチ穴消し位置が「左」、原稿綴じ位置が「左綴じ」である場合の裏面載置ガイド画面Ｐ３ａを示す。裏面載置ガイド画面Ｐ３ａでは、載置ガイド画像Ｇ３ａによって原稿２の裏面の画像を読み取るときに載置されるべき原稿２の配置が示されている。
【００７１】
図１２は、原稿セット方向が「左」、パンチ穴消し位置が「上」、原稿綴じ位置が「左綴じ」である場合の裏面載置ガイド画面Ｐ３ｂを示す。裏面載置ガイド画面Ｐ３ｂでは、載置ガイド画像Ｇ３ｂによって原稿２の裏面の画像を読み取るときに載置されるべき原稿２の配置が示されている。
【００７２】
ここでステップＳ６０の処理が実行される時期は、画像読取部１１によって原稿２の表面の画像が読み取られた後である。つまり、第２報知部１５は、画像読取部１１によって原稿２の表面の画像が読み取られた後に、画像読取部１１によって原稿２の裏面の画像を読み取るときに載置されるべき原稿２の配置を報知する。
なお、ステップＳ６０の処理は省略されてもよい。
【００７３】
図９に戻ってスキャン処理の説明を続ける。
ステップＳ７０：操作受付部１０は、読取開始ボタンが押下されたか否かを判定する。操作受付部１０が、読取開始ボタンが押下されたと判定する場合（ステップＳ７０；ＹＥＳ）、画像読取部１１はステップＳ１０の処理を再度実行する。一方、操作受付部１０は、読取開始ボタンが押下されていないと判定する場合（ステップＳ７０；ＮＯ）、ステップＳ７０の処理を再度実行する。
【００７４】
以上に説明したように、本実施形態に係るスキャナー１は、画像読取部１１と、画像処理部１２０と、設定内容生成部１２１とを備える。
画像読取部１１は、読取面１１０に対向して配置された原稿２の面の画像を読み取る。
画像処理部１２０は、画像読取部１１によって読み取られた画像からパンチ穴の画像部分（この一例において、パンチ穴画像部分）を消去する。
設定内容生成部１２１は、原稿２の一方の面（この一例において、表面）の画像からパンチ穴の画像部分（この一例において、パンチ穴画像部分）を消去するために画像処理部１２０によって用いられる第１設定内容（この一例において、スキャン設定内容１３０）に基づいて、原稿２の他方の面（この一例において、裏面）の画像からパンチ穴の画像部分（この一例において、パンチ穴画像部分）を消去するために画像処理部１２０によって用いられる第２設定内容（この一例において、実行パンチ穴消し位置設定内容１３６）を生成する。
【００７５】
この構成により、本実施形態に係るスキャナー１では、原稿２の表面について第１設定内容（この一例において、スキャン設定内容１３０）が設定されると、原稿２の他方の面（この一例において、裏面）の画像からパンチ穴の画像部分（この一例において、パンチ穴画像部分）を消去するために画像処理部１２０によって用いられる第２設定内容（この一例において、実行パンチ穴消し位置設定内容１３６）を生成することができるため、両面スキャンを行う場合にユーザーの手間を減らすことができる。
【００７６】
また、本実施形態に係るスキャナー１では、第１設定内容（この一例において、スキャン設定内容１３０）は、原稿２の綴じ位置（この一例において、綴じ位置）と、原稿２におけるパンチ穴の位置（この一例において、パンチ穴位置）を含む。
【００７７】
この構成により、本実施形態に係るスキャナー１では、原稿２の表面における綴じ位置（この一例において、綴じ位置）と、原稿２の表面におけるパンチ穴の位置（この一例において、パンチ穴位置）とに基づいて第２設定内容（この一例において、実行パンチ穴消し位置設定内容１３６）を生成することができるため、表面における綴じ位置（この一例において、綴じ位置）と、表面におけるパンチ穴の位置（この一例において、パンチ穴位置）とに基づいて、原稿２の裏面についてパンチ穴画像部分を消去できる。
【００７８】
また、本実施形態に係るスキャナー１は、第１報知部１４を備える。第１報知部１４は、設定内容生成部１２１によって第１設定内容（この一例において、スキャン設定内容１３０）に基づいて第２設定内容（この一例において、実行パンチ穴消し位置設定内容１３６）を生成して画像処理部１２０によって第２設定内容（この一例において、実行パンチ穴消し位置設定内容１３６）を用いるモード（この一例において、両面パンチ穴消しモードＭ）であることを報知する。
【００７９】
この構成により、本実施形態に係るスキャナー１では、設定内容生成部１２１によって第１設定内容（この一例において、スキャン設定内容１３０）に基づいて第２設定内容（この一例において、実行パンチ穴消し位置設定内容１３６）を生成して画像処理部１２０によって第２設定内容（この一例において、実行パンチ穴消し位置設定内容１３６）を用いるモード（この一例において、両面パンチ穴消しモードＭ）であることをユーザーが認識できるため、ユーザーの位置に反して、原稿２の裏面についてパンチ穴画像部分が消去されてしまうことを抑止できる。
【００８０】
また、本実施形態に係るスキャナー１は、第２報知部１５を備える。第２報知部１５は、画像処理部１２０によって原稿２の一方の面（この一例において、表面）の画像が読み取られた後に、画像読取部１１によって原稿２の他方の面（この一例において、裏面）の画像を読み取るときに載置されるべき原稿２の配置を報知する。
この構成により、本実施形態に係るスキャナー１では、原稿２の他方の面（この一例において、裏面）の画像を読み取るときに載置されるべき原稿２の配置をユーザーが認識できるため、両面スキャンを行う場合に原稿２の配置についてユーザーの手間を減らすことができる。
【００８１】
なお、上述した実施形態におけるスキャナー１の一部、例えば、画像処理部１２０、及び設定内容生成部１２１をコンピューターで実現するようにしてもよい。その場合、この制御機能を実現するためのプログラムをコンピューター読み取り可能な記録媒体に記録して、この記録媒体に記録されたプログラムをコンピューターシステムに読み込ませ、実行することによって実現してもよい。なお、ここでいう「コンピューターシステム」とは、スキャナー１に内蔵されたコンピューターシステムであって、ＯＳや周辺機器等のハードウェアを含むものとする。また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピューターシステム内部の揮発性メモリーのように、一定時間プログラムを保持しているものも含んでもよい。また上記プログラムは、前述した機能の一部を実現するためのものであってもよく、さらに前述した機能をコンピューターシステムにすでに記録されているプログラムとの組み合わせで実現できるものであってもよい。
また、上述した実施形態におけるスキャナー１の一部、または全部を、ＬＳＩ（Ｌａｒｇｅ  Ｓｃａｌｅ  Ｉｎｔｅｇｒａｔｉｏｎ）等の集積回路として実現してもよい。スキャナー１の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００８２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８３】
１…スキャナー、１０…操作受付部、１１…画像読取部、１１０…読取面、１２…制御部、１２０…画像処理部、１２１…設定内容生成部、１３…記憶部、１４…第１報知部、１５…第２報知部、１３０…スキャン設定内容、１３１…両面スキャン設定内容、１３２…原稿綴じ位置設定内容、１３３…原稿セット方向設定内容、１３４…パンチ穴消し位置設定内容、１３５…パンチ穴消し量設定内容、１３６…実行パンチ穴消し位置設定内容、２…原稿、３４ＦＳ、３５ＲＳ…スキャン画像、２０Ｆ、２１Ｆ、２２Ｆ、３０Ｆ、３１Ｆ、３２Ｆ、３３Ｆ、３４Ｆ…表面、２４Ｆ、２５Ｆ…表面配置、２０Ｒ、２１Ｒ、２２Ｒ、２３Ｒ、３５Ｒ…裏面、２２ｂ、２３ｂ…綴じ位置、５０ｐ、５１ｐ、５２ｐ、５３ｐ…パンチ穴位置、４０ｅｕ、４０ｅｌ、４０ｅｒ、４０ｅｄ、４１ｅｕ、４１ｅｌ、４１ｅｒ、４１ｅｄ、５０ｅＦ、５１ｅＦ、５２ｅＦ、５３ｅＦ、６０ｅＦ、６１ｅＦ、６２ｅＦ、６３ｅＦ、５０ｅＲｌ、５１ｅＲｌ、５２ｅＲｌ、５３ｅＲｌ、６０ｅＲｌ、６１ｅＲｌ、６２ｅＲｌ、６３ｅＲｌ、５０ｅＲｕ、５１ｅＲｕ、５２ｅＲｕ、５３ｅＲｕ、６０ｅＲｕ、６１ｅＲｕ、６２ｅＲｕ、６３ｅＲｕ…パンチ穴消し位置、Ｐ１…設定画面、Ｔ１…基本設定タブ、Ｔ２…応用設定タブ、Ｐ２…パンチ穴消し設定画面、Ｂ１…両面設定ボタン、Ｂ２１…パンチ穴消し設定ボタン、Ｂ２２…消し位置設定ボタン、Ｂ２３…原稿セット方向設定ボタン、Ｐ３ａ、Ｐ３ｂ…裏面載置ガイド画面、Ｇ３ａ、Ｇ３ｂ…載置ガイド画像、Ｎ…両面パンチ穴消しモード報知画面、Ｍ…両面パンチ穴消しモードＭ
【図１】
2020145591.tif 000003
【図２】
2020145591.tif 000004
【図３】
2020145591.tif 000005
【図４】
2020145591.tif 000006
【図５】
2020145591.tif 000007
【図６】
2020145591.tif 000008
【図７】
2020145591.tif 000009
【図８】
2020145591.tif 000010
【図９】
2020145591.tif 000011
【図１０】
2020145591.tif 000012
【図１１】
2020145591.tif 000013
【図１２】
2020145591.tif 000014